(57)【要約】【課題】顧客が希望する商品の情報を映像で流すことのできる商品情報映像システムを提供することにある。【解決手段】表示端末１は、管理サーバ２からインターネットＮＴを介して配信される映像をサイネージとして表示し、商品に付された商品を識別する商品情報を読み取る商品情報読取手段を備え、商品情報読取手段により読み取られた商品情報に基づいて、管理サーバ２から商品に関する商品映像を取得し、取得した商品映像を表示する。【選択図】図１
2015084202.tif 000002
【特許請求の範囲】
【請求項１】
サーバからインターネットを介して配信される映像をサイネージとして表示するサイネージ表示手段と、
商品に付された前記商品を識別する商品情報を読み取る商品情報読取手段と、
前記商品情報読取手段により読み取られた前記商品情報に基づいて、前記サーバから前記商品に関する商品映像を取得する商品映像取得手段と、
前記商品映像取得手段により取得された前記商品映像を表示する商品映像表示手段と
を備えることを特徴とする商品情報表示装置。
【請求項２】
前記商品情報読取手段は、バーコードリーダーであること
を特徴とする請求項１に記載の商品情報表示装置。
【請求項３】
前記商品情報読取手段は、カメラであること
を特徴とする請求項１に記載の商品情報表示装置。
【請求項４】
前記商品は、映像メディアであること
を特徴とする請求項１から請求項３のいずれか１項に記載の商品情報表示装置。
【請求項５】
前記商品映像は、前記商品の実物の映像であること
を特徴とする請求項４に記載の商品情報表示装置。
【請求項６】
複数の商品情報表示装置がインターネットを介して接続されるサーバに前記インターネットを介して接続される管理装置であって、
前記商品情報表示装置は、
前記サーバから配信される映像をサイネージとして表示するサイネージ表示手段と、
商品に付された前記商品を識別する商品情報を読み取る商品情報読取手段と、
前記商品情報読取手段により読み取られた前記商品情報に基づいて、前記サーバから前記商品に関する商品映像を取得する商品映像取得手段と、
前記商品映像取得手段により取得された前記商品映像を表示する商品映像表示手段とを備え、
前記サーバが前記商品情報表示装置に配信した前記商品映像に関する情報に基づいて作成した統計データを閲覧する統計データ閲覧手段と、
前記商品映像を前記サーバに登録する商品映像登録手段と
を備えることを特徴とする管理装置。
【請求項７】
前記商品は、映像メディアであること
を特徴とする請求項６に記載の管理装置。
【請求項８】
前記商品映像は、前記商品の実物の映像であること
を特徴とする請求項７に記載の管理装置。
【請求項９】
サーバにインターネットを介して複数の商品情報表示装置が接続される商品情報映像システムであって、
前記商品情報表示装置は、
前記サーバから配信される映像をサイネージとして表示するサイネージ表示手段と、
商品に付された前記商品を識別する商品情報を読み取る商品情報読取手段と、
前記商品情報読取手段により読み取られた前記商品情報に基づいて、前記サーバから前記商品に関する商品映像を取得する商品映像取得手段と、
前記商品映像取得手段により取得された前記商品映像を表示する商品映像表示手段とを備え、
前記サーバは、前記商品情報表示装置に配信した前記商品映像に関する情報に基づいて、統計データを作成する統計データ作成手段を備えること
を特徴とする商品情報映像システム。
【請求項１０】
前記インターネットを介して前記サーバに接続される管理装置を備え、
前記管理装置は、
前記統計データ作成手段により作成された前記統計データを閲覧する統計データ閲覧手段と、
前記商品映像を前記サーバに登録する商品映像登録手段とを備えること
を特徴とする請求項９に記載の商品情報映像システム。
【請求項１１】
前記商品は、映像メディアであること
を特徴とする請求項９又は請求項１０に記載の商品情報映像システム。
【請求項１２】
前記商品映像は、前記商品の実物の映像であること
を特徴とする請求項１１に記載の商品情報映像システム。
【発明の詳細な説明】
【技術分野】
【０００１】
本発明は、商品の情報を表示する装置に関する。
【背景技術】
【０００２】
一般に、屋外、店頭又は店内などにおいて、映像を流して広告、宣伝又は案内をすること（サイネージ）が行われている。
【先行技術文献】
【特許文献】
【０００３】
【特許文献１】特開２００３−２６４８１４号公報
【特許文献２】特開２０１０−２１０８２２号公報
【発明の概要】
【発明が解決しようとする課題】
【０００４】
しかしながら、このような広告で紹介される商品は、顧客が希望する商品とは無関係である。従って、広告で流される映像には、必ずしも顧客が希望する商品の情報が含まれていない。
【０００５】
そこで、本発明の目的は、顧客が希望する商品の情報を映像で流すことのできる商品情報表示装置を提供することにある。
【課題を解決するための手段】
【０００６】
本発明の観点に従った商品情報表示装置は、サーバからインターネットを介して配信される映像をサイネージとして表示するサイネージ表示手段と、商品に付された前記商品を識別する商品情報を読み取る商品情報読取手段と、前記商品情報読取手段により読み取られた前記商品情報に基づいて、前記サーバから前記商品に関する商品映像を取得する商品映像取得手段と、前記商品映像取得手段により取得された前記商品映像を表示する商品映像表示手段とを備える。
【発明の効果】
【０００７】
本発明によれば、顧客が希望する商品の情報を映像で流すことのできる商品情報表示装置を提供することができる。
【図面の簡単な説明】
【０００８】
【図１】本発明の第１の実施形態に係る商品情報映像システムの構成を示す構成図。
【図２】第１の実施形態に係る表示端末の構成を示す構成図。
【図３】第１の実施形態に係る表示端末が接写レンズに取り付けられた状態を示す断面図。
【図４】第１の実施形態に係る表示端末の顧客が近づいたときの表示画面を模擬した模擬図。
【図５】第１の実施形態に係る表示端末の読み取りを開始したときの表示画面を模擬した模擬図。
【図６】第１の実施形態に係る表示端末の商品を確認するための表示画面を模擬した模擬図。
【図７】第１の実施形態に係る表示端末のサンプル映像を表示した表示画面を模擬した模擬図。
【図８】第１の実施形態に係る管理用端末に統計データが表示された表示画面を模擬した模擬図。
【図９】第１の実施形態に係る管理用端末のサンプル映像管理機能による表示画面を模擬した模擬図。
【図１０】本発明の第２の実施形態に係る表示端末の外観を示す斜視図。
【図１１】第２の実施形態に係る表示端末の外観を示す正面図。
【図１２】第２の実施形態に係る表示端末の構成を示す側面図。
【図１３】本発明の第３の実施形態に係る表示端末の外観を示す斜視図。
【図１４】第３の実施形態に係る表示端末の外観を示す正面図。
【図１５】第３の実施形態に係る表示端末の構成を示す側面図。
【発明を実施するための形態】
【０００９】
以下図面を参照して、本発明の実施形態を説明する。
【００１０】
（第１の実施形態）
図１は、本発明の第１の実施形態に係る商品情報映像システム１０の構成を示す構成図である。なお、図面における同一部分には同一符号を付してその詳しい説明を省略し、異なる部分について主に述べる。
【００１１】
商品情報映像システム１０は、複数の表示端末１、管理サーバ２、及び１以上の管理用端末３を備える。
【００１２】
表示端末１は、各店ＳＨａ，ＳＨｂ，ＳＨｃ，ＳＨｄ，ＳＨｅ，ＳＨｆ，ＳＨｇ，ＳＨｈの店内に設けられている。例えば、表示端末１は、ＤＶＤ(digital versatile disc)などの映像メディアの商品が陳列される棚に、これらの商品と並べて設置されている。表示端末１は、無線でインターネットＮＴを介して管理サーバ２に接続される。表示端末１は、カメラ付きのタブレット型コンピュータを用いて構成されている。表示端末１は、表示面がタッチパネルになっている。表示端末１には、商品情報映像システム１０として動作するためのアプリケーションがインストールされている。
【００１３】
表示端末１は、各店ＳＨａ〜ＳＨｈで広告などの映像を表示する装置である。表示端末１に表示される映像のデータは、管理サーバ２に予め記憶されている。映像は、動画でもよいし、静止画でもよい。サンプル映像表示モードでは、店ＳＨａ〜ＳＨｈの顧客から入力された操作に従って、その顧客が希望する商品に関する映像が表示端末１に表示される。顧客が操作していない場合（サイネージモード）は、管理サーバ２に予め与えられたスケジュール（プログラム）に従って、表示端末１に映像が表示される。サイネージモード時の映像は、商品の広告に限らず、どのような映像を表示してもよいし、イベント、セール、又はキャンペーンなどを告知するための情報をテロップで流してもよい。
【００１４】
管理サーバ２は、商品情報映像システム１０の中枢となるサーバである。例えば、管理サーバ２は、クラウド上に設置されている。
【００１５】
管理サーバ２は、各店ＳＨａ〜ＳＨｈで販売される各商品に関する映像のデータが記憶されている。管理サーバ２は、表示端末１からの要求に従って、映像を配信する。管理サーバ２は、表示端末１を個別に選択し、日時を指定して、任意の映像を表示させることができる。例えば、ある期間の間、ある店ＳＨａ〜ＳＨｈに設置されている全ての表示端末１に特定の動画を流すなどの制御をすることができる。
【００１６】
管理サーバ２は、表示端末１からの要求に従って、映像を配信した場合、表示端末１からの要求された内容を履歴（ログデータ）として記録する。管理サーバ２は、日時、表示端末１の識別情報、商品名、及び映像の表示時間（顧客の視聴時間）などをデータとして保存する。これらのデータは、個別のデータとして保存されるとともに、ログ分析などの演算処理を施した統計データとして保存される。
【００１７】
管理用端末３は、各店ＳＨａ〜ＳＨｈで販売される商品を製造又は販売する会社などに設置されているコンピュータである。管理用端末３は、インターネットＮＴを介して、管理サーバ２に接続される。管理用端末３には、ブラウザがインストールされている。運用管理者は、ブラウザを介して、管理サーバ２に接続し、各種の操作及び設定を行う。表示端末１に表示される商品に関する映像のデータは、管理用端末３により登録される。また、管理用端末３からは、管理サーバ２に保存された表示端末１に表示された映像に関する各種のデータを閲覧できる。
【００１８】
図２は、表示端末１の構成を示す構成図である。図３は、表示端末１が接写レンズ１５に取り付けられた状態を示す断面図である。
【００１９】
表示端末１は、タブレット型コンピュータ１１、２つの額縁スタンド枠１２，１３、４組の組ネジ１４ａ，１４ｂ、及び接写レンズ１５を備える。
【００２０】
２つの額縁スタンド枠１２，１３は、タブレット型コンピュータ１１の表示画面の額縁の役割とスタンドの役割を果たす。また、タブレット型コンピュータ１１に、額縁スタンド枠１２，１３を取り付けることで、タブレット型コンピュータ１１に対して不要な操作を顧客にさせないように保護する。
【００２１】
２つの額縁スタンド枠１２，１３は、タブレット型コンピュータ１１を挟むように取り付けられる。２つの額縁スタンド枠１２，１３は、四隅を４組の組ネジ１４ａ，１４ｂで固定される。組ネジ１４ａ，１４ｂは、雄ネジ１４ａと雌ネジ１４ｂで、タブレット型コンピュータ１１が挟まれた２つの額縁スタンド枠１２，１３を外側から挟みこむように締め付ける。表示側（タブレット型コンピュータ１１の表示画面側）の額縁スタンド枠１２には、接写レンズ１５を取り付けるための穴ＨＬが設けられている。額縁スタンド枠１２，１３の大きさは、対象とする商品や設置場所に合わせて決定される。例えば、表示端末１がＤＶＤの棚に収納されるように設置される場合、額縁スタンド枠１２，１３の高さや奥行きは、ＤＶＤの商品パッケージの大きさに近いサイズになる。
【００２２】
接写レンズ１５は、額縁スタンド枠１２に設けられた穴ＨＬに接着材ＡＤで固定するように取り付けられている。この穴ＨＬは、タブレット型コンピュータ１１に設けられているカメラのレンズ１１２に位置するように設けられている。タブレット型コンピュータ１１に内蔵されているカメラモジュール１１１は、接写レンズ１５を介して被写体を撮影する。接写レンズ１５は、商品に印字又は貼付された商品情報を読み取るための画像を拡大する。例えば、商品情報は、バーコードである。なお、商品情報は、商品を特定できる情報であれば、一次元バーコードでもよいし、２次元バーコードでもよいし、バーコード以外でもよい。
【００２３】
以降では、商品を、ＤＶＤなどの映像メディアを想定して説明するが、どのような商品を対象としてもよい。
【００２４】
図４から図７を参照して、表示端末１の機能について説明する。図４から図７は、各場面における表示端末１に表示される表示画面を模擬した模擬図である。ここで説明する機能は、表示端末１にインストールされたアプリケーションの動作により、管理サーバ２にインストールされているソフトウェアが対応して動作することで実現される。
【００２５】
通常時（表示端末１の近くに顧客がいない時）は、表示端末１は、サイネージモードで、予めスケジューリングされた映像を流す。たとえば、このときに流す映像は、電子看板としての広告などである。
【００２６】
表示端末１に顧客が近づくと、図４に示すように、表示画面ＳＣ１に、映像メディアである商品のサンプル視聴ができることを知らせる表示をするとともに、商品情報（バーコード）の読み取りを開始するための読取開始ボタンＢＴ１が表示される。このとき、音声により、表示端末１から顧客に呼び掛けたり、サンプル視聴をするように促したりしてもよい。
【００２７】
顧客が図４に示す読取開始ボタンＢＴ１を触ると、図５に示す表示画面ＳＣ１になる。この表示画面では、商品に付された商品情報を接写レンズ１５に映すことを顧客に促す表示がされる。これにより、顧客は、商品情報の表示部分を接写レンズ１５にかざすことで、表示端末１は、商品情報を読み取る。顧客がサンプル視聴を止める場合は、表示画面ＳＣ１に表示されている読取中止ボタンＢＴ２を触ることで、図４に示す表示画面ＳＣ１に戻る。この他に、サンプル視聴するための操作方法を音声及び画像で説明してもよい。
【００２８】
表示端末１が商品情報を読み取ると、表示端末１は、図６に示すように、商品情報に対応する商品の各種情報が含まれる映像を管理サーバ２から読み出して（ダウンロードして）表示する。例えば、この表示画面ＳＣ１では、商品のタイトル画像とともに、商品タイトル、出演者、監督、収録時間、発売日、品番などが表示される。同時に、商品の確認を求める表示とともに、ＯＫボタンＢＴ３及びＮＯボタンＢＴ４が表示画面ＳＣ１に表示される。顧客は、表示された商品が正しければ、ＯＫボタンＢＴ３を触り、表示された商品が間違いであれば、ＮＯボタンＢＴ４を触る。ＮＯボタンＢＴ４を触ると、図５に示す表示画面ＳＣ１に戻る。
【００２９】
顧客が図６に示すＯＫボタンＢＴ３を触ると、図７に示すように、表示端末１は、商品に対応するサンプル映像を管理サーバ２から読み出して（ダウンロードして）流す。サンプル映像は、製品を取り扱う運用管理者が管理用端末３から管理サーバ２に登録された商品を紹介するための映像である。例えば、サンプル映像は、サンプル視聴のために作られた映像でもよいし、映像メディアである商品の映像を編集したものでもよし、商品の実物のそのままの映像でもよい。顧客は、表示画面ＳＣ１に表示された消音ボタンＢＴ５を触ることで、音声を消してサンプル映像を視聴できる。サンプル視聴を止めたい場合は、顧客は、表示画面ＳＣ１に表示された終了ボタンＢＴ６を触ることで、サンプル映像を止めることができる。この他に、サンプル映像を、再生、一時停止、早送り、又は巻戻しなどの操作をするための操作ボタンを表示画面ＳＣ１に表示させてもよい。これらの操作ボタンは、特にサンプル映像が商品の実物の映像である場合に必要となる。
【００３０】
図８及び図９を参照して、管理用端末３の機能について説明する。ここで説明する機能は、管理用端末３にインストールされたブラウザを介して、管理サーバ２にインストールされているソフトウェアを動作させることで実現される。
【００３１】
図８は、管理用端末３に統計データが表示された表示画面ＳＣ３を模擬した模擬図である。
【００３２】
運用管理者は、管理用端末３のブラウザに表示される管理ツールを用いて統計データ閲覧機能を動作させて、管理サーバ２に記録されている統計データを閲覧する。
【００３３】
統計データは、全ての店ＳＨａ〜ＳＨｈに設置された全ての表示端末１におけるサンプル視聴のログデータ（サンプル視聴の履歴の記録データ）に基づいて作成される。管理サーバ２では、ログデータに基づいて様々な統計データが作成されるが、ここでは、主な統計データについて説明する。
【００３４】
管理用端末３の表示画面ＳＣ３では、サンプル視聴件数Ｄ１、視聴状況Ｄ２、及び直近データＤ３が表示される。サンプル視聴件数Ｄ１は、全ての表示端末１でサンプル視聴された件数である。このサンプル視聴された件数は、本日分でもよいし、所定の期間分でもよいし、今までに視聴された件数の総数でもよい。視聴状況Ｄ２は、サンプル視聴の視聴状況がグラフなどにより可視化されている。視聴状況Ｄ２は、日にち毎又は期間毎に、サンプル視聴の件数がグラフで表されている。直近データＤ３は、直近でサンプル視聴された履歴を表示する。直近データＤ３には、サンプル視聴された個々の件について、日時、表示端末１の特定情報、作品タイトル、視聴時間などが含まれる。表示端末１の特定情報は、Ｄ店の第１の表示端末１のように、表示端末１を特定する情報である。
【００３５】
図９は、管理用端末３のサンプル映像管理機能による表示画面ＳＣ３を模擬した模擬図である。
【００３６】
運用管理者は、管理用端末３のブラウザに表示される管理ツールを用いてサンプル映像管理機能を動作させて、サンプル映像の管理を行う。
【００３７】
サンプル映像管理機能では、表示画面ＳＣ３に、運用管理者が管理する商品リストＬ１が表示される。商品リストＬ１には、商品を視覚化した画像（例えば、サムネイル）、商品を識別する商品ＩＤ（識別番号）、作品タイトル、発売日、サンプル視聴の映像ファイルなどが列挙されている。管理する商品を新規に登録する場合は、運用管理者は、これらのデータを入力する。運用管理者は、商品リストＬ１の中から商品を選択して、その商品の管理を行う。例えば、運用管理者は、サンプル視聴の映像ファイルを登録したり変更したりする。
【００３８】
この他に、管理用端末３では、サイネージとして表示端末１に表示する映像（動画又は静止画）を登録したり、指定する表示端末１に指定時間に指定の映像を表示するようにスケジューリングをしたり、表示端末１の通信状態を確認したりすることができる。
【００３９】
本実施形態によれば、表示端末１により、普段はサイネージとしての映像を流すことができ、顧客の操作により、顧客の希望する商品の映像を流すことができる。
【００４０】
また、表示端末１により操作された履歴（ログ）を管理サーバ２で記録して統計データを作成することで、商品の販売又は製造などを行う運用管理者は、消費者の嗜好データを実際に販売された商品に関するデータとは異なる視点で把握することができる。
【００４１】
（第２の実施形態）
図１０は、本発明の第２の実施形態に係る表示端末１Ａの外観を示す斜視図である。図１１は、本実施形態に係る表示端末１Ａの外観を示す正面図である。図１２は、本実施形態に係る表示端末１Ａの構成を示す側面図である。
【００４２】
本実施形態に係る商品情報映像システム１０は、図１に示す第１の実施形態に係る商品情報映像システム１０において、表示端末１を表示端末１Ａに代えたものである。その他の点は、第１の実施形態と同様である。
【００４３】
表示端末１Ａは、第１の実施形態に係る表示端末１において、商品情報を読み取るための構成として、タブレット型コンピュータ１１に設けられているカメラ機能（カメラモジュール１１１）の代わりに、バーコードリーダー２０を用いるものである。その他の点については、表示端末１Ａは、第１の実施形態に係る表示端末１と同様であるため、主に異なる点について説明する。  表示端末１Ａは、第１の実施形態と同様に、例えば、ＤＶＤなどの映像メディアの商品が陳列される棚に、これらの商品と並べて設置されることを想定した大きさである。表示端末１Ａは、タブレット型コンピュータ１１及びバーコードリーダー２０を備える。
【００４４】
タブレット型コンピュータ１１は、第１の実施形態と同様である。なお、本実施形態では、タブレット型コンピュータ１１には、カメラ機能は設けられていなくてもよい。
【００４５】
バーコードリーダー２０は、柱型の形状をしている。タブレット型コンピュータ１１は、バーコードリーダー２０の上部に取り付けられている。バーコードリーダー２０は、情報を伝送するケーブルでタブレット型コンピュータ１１に接続されている。バーコードリーダー２０の底面には、表示端末１Ａを据え付けるための板状の台座が設けられている。バーコードリーダー２０の全体を覆うカバーの下部には、商品３０のパッケージなどに印字又は貼付されたバーコード（商品情報）ＢＣを読み取るための穴ＨＬＡが設けられている。
【００４６】
バーコードリーダー２０は、照明光源２１、ＣＣＤ(charge-coupled device)センサ２２、及びデコード基板２３を備える。照明光源２１は、穴ＨＬＡから光を照射する。ＣＣＤセンサ２２は、穴ＨＬＡからバーコードＢＣを読み取る。
【００４７】
照明光源２１は、バーコードＢＣに光を照射する機器である。ＣＣＤセンサ２２は、照明光源２１により光が照射されたバーコードＢＣの像を取り込み、電気信号に変換する。デコード基板２３は、ＣＣＤセンサ２２から受信した電気信号に基づいて、商品３０を特定する商品情報に変換し、タブレット型コンピュータ１１に送信する。このようにして、表示端末１Ａは、バーコードＢＣを読み取る。
【００４８】
商品３０に興味を持った顧客は、商品３０のバーコードＢＣ部分をバーコードリーダー２０の読取用の穴ＨＬＡに近づけると、バーコードリーダー２０は、自動的にバーコードＢＣを読み取る。なお、顧客がボタンを押すことで、バーコードリーダー２０がバーコードＢＣを読み取るようにしてもよい。このボタンは、ハードウェアとしてバーコードリーダー２０に設けてもよいし、ソフトウェアとして表示端末１Ａの表示画面ＳＣ１に表示してもよい。バーコードＢＣを読み取った後の表示端末１Ａは、第１の実施形態と同様に、サンプル映像を流す。
【００４９】
本実施形態によれば、第１の実施形態による作用効果に加え、バーコードリーダー２０を用いて、商品３０のバーコードＢＣを読み取ることで、商品３０を識別する商品情報の読取率を高くすることができる。
【００５０】
また、商品３０が映像メディアである場合、サンプル映像として、商品３０の実物の映像を流すことで、店舗型販売として、ネット販売では真似のできないサービスを顧客に提供することができる。
【００５１】
（第３の実施形態）
図１３は、本発明の第３の実施形態に係る表示端末１Ｂの外観を示す斜視図である。図１４は、本実施形態に係る表示端末１Ｂの外観を示す正面図である。図１５は、本実施形態に係る表示端末１Ｂの構成を示す側面図である。
【００５２】
本実施形態に係る商品情報映像システム１０は、図１に示す第１の実施形態に係る商品情報映像システム１０において、表示端末１を表示端末１Ｂに代えたものである。その他の点は、第１の実施形態と同様である。
【００５３】
表示端末１Ｂは、第２の実施形態に係る表示端末１Ａにおいて、バーコードリーダー２０の外観の形状を変えたバーコードリーダー２０Ｂを用いたものである。その他の点は、第２の実施形態と同様である。
【００５４】
バーコードリーダー２０Ｂは、広い面を上面及び底面にした箱型の形状をしている。タブレット型コンピュータ１１は、バーコードリーダー２０Ｂの上面に据え付けられている。バーコードリーダー２０Ｂは、表示端末１Ｂの台座のような役割をしている。バーコードリーダー２０Ｂの正面には、第２の実施形態と同様に、バーコードＢＣを読み取るための穴ＨＬＡが設けられている。
【００５５】
本実施形態によれば、箱型の形状のバーコードリーダー２０Ｂを用いて、第２の実施形態と同様の作用効果を得ることができる。
【００５６】
なお、各実施形態では、主に映像メディアを想定した商品を対象にした商品情報映像システムについて説明したが、その他の商品を対象とする場合は、使用方法や使用用途などの商品に関する説明をする映像をサンプル映像として流すことで、同様の作用効果を得ることができる。
【００５７】
第２及び第３の実施形態で説明したバーコードリーダー２０，２０Ｂの形状に限らず、どのような形状をしていてもよい。また、バーコードリーダー２０，２０Ｂの読取方式についても、ＣＣＤセンサ２２を用いる方式に限らず、どのような方式を採用してもよい。
【００５８】
なお、本発明は上記で説明した実施形態に限定されず、各実施形態は、構成要素を削除、付加又は変更等をして実施してもよい。また、各実施形態の各構成要素を適宜組み合わせ又は交換等をすることで、さらに異なる形態で実施してもよい。このように、上記で説明した実施形態と直接的には異なる実施形態であっても、各実施形態に基づいて構成することができるため、本発明の実施形態として説明したものとして、その説明を省略している。
【符号の説明】
【００５９】
１…表示端末、２…管理サーバ、３…管理用端末、１０…商品情報映像システム、ＮＴ…インターネット、ＳＨａ〜ＳＨｈ…店
【図１】
2015084202.tif 000003
【図２】
2015084202.tif 000004
【図３】
2015084202.tif 000005
【図４】
2015084202.tif 000006
【図５】
2015084202.tif 000007
【図６】
2015084202.tif 000008
【図７】
2015084202.tif 000009
【図８】
2015084202.tif 000010
【図９】
2015084202.tif 000011
【図１０】
2015084202.tif 000012
【図１１】
2015084202.tif 000013
【図１２】
2015084202.tif 000014
【図１３】
2015084202.tif 000015
【図１４】
2015084202.tif 000016
【図１５】
2015084202.tif 000017